(57)【要約】【課題】インクジェット記録用紙包装体からインクジェット記録用紙を取り出すに際し、包袋の開口部を封じるフラップの粘着材が用紙に接触して該用紙の特殊コーティングに損傷を与えず、包袋内の容部に対する該用紙の収容及び取出を行うことができ、包装体の開封後においても、包袋内の容部に収容された用紙を印刷面吸湿や過乾燥、あるいは塵埃や紫外線焼け等から確実に保護できるインクジェット記録用紙包装体を提供する。【解決手段】包袋８の開口部１２に、粘着材１４ｂを付設したフラップ１４ａにより開口部１２を封じる第１閉塞部１４を備える。第１閉塞部１４に平行に且つ第１閉塞部１４よりも包袋８の容部１０側に位置して、合成樹脂製の凸部１６ａ及び凹部１６ｂにより形成したファスナーからなる第２閉塞部１６を備えている。【選択図】図２
0003134352.tif 000002
【実用新案登録請求の範囲】
【請求項１】
合成樹脂製の１枚のシート材を折り返して、あるいは２枚のシート材を重ね合わせて、その周囲を熱溶着することにより袋状に形成した包袋内の容部に、多数のインクジェット記録用紙を重ねて収容して包装したインクジェット記録用紙包装体において、
上記包袋が、その一辺側に形成したインクジェット記録用紙の収容及び取出のための開口部に、粘着材を付設したフラップにより該開口部を封じる第１閉塞部を備えるとともに、該第１閉塞部に平行に且つ該第１閉塞部よりも当該包袋の容部側に位置して、互いに嵌合する合成樹脂製の凸部及び凹部により形成したファスナーからなる第２閉塞部を備えている、
ことを特徴とするインクジェット記録用紙包装体。
【請求項２】
上記包袋における上記開口部の対向辺側において、該包袋の相対する表裏面のシート材をそれぞれ上記容部内側に折り込んで折込部を形成し、その折込部の両側を該折込部と重なる上記シート材の両側とともに熱溶着することにより、該包袋をその厚さ方向に拡げるマチ部を形成した、
ことを特徴とする請求項１に記載のインクジェット記録用紙包装体。
【請求項３】
上記包袋における上記開口部側において、該包袋を構成する上記シート材における表裏面の一方を延設するとともに、その延設部分を上記第２閉塞部に達しない範囲で他方のシート材上に折り返して上記第１閉塞部を構成するフラップを形成し、該フラップと上記他方のシート材とが重畳する範囲に上記粘着材を塗着することにより、上記開口部を封じるものとして構成した、
ことを特徴とする請求項１または２に記載のインクジェット記録用紙包装体。
【請求項４】
上記シート材における表裏面の一方の延設部分を他方のシート材上に折り返すにあたり、その折り返し部分における上記他方のシート材に達しない部分の内側に補強板を包持させ、該補強板の第１閉塞部側において表裏のシート材を熱溶着することにより補強部を形成するとともに、該補強部から上記第２閉塞部側に延びるシート材により上記第１閉塞部を構成するフラップを形成し、
上記補強部に当該包装体を吊下げて陳列するための吊下用孔を設けた、
ことを特徴とする請求項３に記載のインクジェット記録用紙包装体。
【請求項５】
上記第１閉塞部と第２閉塞部との間のシート材に、切断位置である旨の表示を施した、
ことを特徴とする請求項１〜４のいずれかに記載のインクジェット記録用紙包装体。
【請求項６】
上記包袋を構成するシート材を、合成樹脂製のシート基材の一面にアルミニウムを蒸着することにより構成した、
ことを特徴とする請求項１〜５のいずれかに記載のインクジェット記録用紙包装体。
【考案の詳細な説明】
【技術分野】
【０００１】
本考案は、インクジェットプリンタによる印刷のために印刷面に特殊コーティング等を施したインクジェット記録用紙を包袋内に収容して包装したインクジェット記録用紙包装体に関するものである。
【背景技術】
【０００２】
インクジェットプリンタによる高品位印刷のために印刷面に特殊コーティングを施したインクジェット記録用紙の多数を、包袋内の容部に収容して包装したインクジェット記録用紙包装体としては、例えば、特許文献１の図４及び図５に示されているような構造のものが知られている。この種の包装体は、上記容部に収容されているインクジェット記録用紙の印刷面吸湿や過乾燥、あるいは塵埃や紫外線焼け等から保護して該用紙の品質を保持するため、包袋の開口部を閉塞するフラップに、再粘着して該開口部を封止可能な粘着材が塗着されていて、そのフラップの粘着材を解離して上記開口部を開封しても、該粘着材の粘着力により再度該開口部を封止することができるようにしたものである。
【０００３】
しかしながら、上記従来の包装体においては、該包装体における包袋内の容部からインクジェット記録用紙を取り出すために該包袋のフラップを開封したときに、上記フラップにおける粘着材が塗着されている面側を動線として、該インクジェット記録用紙を取り出す必要があり、その場合に該インクジェット記録用紙の表面に上記粘着材が接触すると、該用紙の表面に施されている特殊コーティングが剥離してしまい、そのインクジェット記録用紙にインクジェットプリンタによる高品位印刷をすることができなくなってしまうという問題点がある。
また、上記包袋の開口部を一度開封してしまうと、上記フラップにおける粘着材の再粘着による封止では、該包袋内の容部に収容したインクジェット記録用紙の印刷面吸湿や過乾燥、あるいは塵埃の浸入等を確実に抑止することができない虞があるため、開封後の密封性をより確実に保持し、インクジェット記録用紙の品質の低下を抑止することができるようなインクジェット記録用紙包装体が要望されている。
【特許文献１】特開２００５−２２５５１０号公報
【考案の開示】
【考案が解決しようとする課題】
【０００４】
如上に鑑みて、本考案の技術的課題は、当該インクジェット記録用紙包装体における包袋内の容部からインクジェット記録用紙を取り出すに際し、該包袋の開口部を封じるフラップの粘着材が該インクジェット記録用紙に接触することによって、該インクジェット記録用紙の特殊コーティングに剥離等の損傷を与えることなく、上記包袋内の容部に対する該インクジェット記録用紙の収容及び取出を行うことができ、しかも、当該包装体の開封後においても、上記包袋内の容部に収容されたインクジェット記録用紙を、印刷面吸湿や過乾燥、あるいは塵埃や紫外線焼け等から確実に保護することができるようにしたインクジェット記録用紙包装体を提供することにある。
【課題を解決するための手段】
【０００５】
上記技術的課題を解決するための本考案は、合成樹脂製の１枚のシート材を折り返して、あるいは２枚のシート材を重ね合わせて、その周囲を熱溶着することにより袋状に形成した包袋内の容部に、多数のインクジェット記録用紙を重ねて収容して包装したインクジェット記録用紙包装体において、上記包袋が、その一辺側に形成したインクジェット記録用紙の収容及び取出のための開口部に、粘着材を付設したフラップにより該開口部を封じる第１閉塞部を備えるとともに、該第１閉塞部に平行に且つ該第１閉塞部よりも当該包袋の容部側に位置して、互いに嵌合する合成樹脂製の凸部及び凹部により形成したファスナーからなる第２閉塞部を備えていることを特徴とするものである。
【０００６】
本考案に係るインクジェット記録用紙包装体の好ましい実施形態においては、上記包袋における上記開口部の対向辺側において、該包袋の相対する表裏面のシート材をそれぞれ上記容部内側に折り込んで折込部を形成し、その折込部の両側を該折込部と重なる上記シート材の両側とともに熱溶着することにより、該包袋をその厚さ方向に拡げるマチ部が形成される。
【０００７】
本考案に係るインクジェット記録用紙包装体の他の好ましい実施形態においては、上記包袋における上記開口部側において、該包袋を構成する上記シート材における表裏面の一方を延設するとともに、その延設部分を上記第２閉塞部に達しない範囲で他方のシート材上に折り返して上記第１閉塞部を構成するフラップを形成し、該フラップと上記他方のシート材とが重畳する範囲に上記粘着材を塗着することにより、上記開口部を封じるものとして構成される。この場合、上記シート材における表裏面の一方の延設部分を他方のシート材上に折り返すにあたり、その折り返し部分における上記他方のシート材に達しない部分の内側に補強板を包持させ、該補強板の第１閉塞部側において表裏のシート材を熱溶着することにより補強部を形成するとともに、該補強部から上記第２閉塞部側に延びるシート材により上記第１閉塞部を構成するフラップが形成され、上記補強部に当該包装体を吊下げて陳列するための吊下用孔が設けられる。
【０００８】
本考案に係るインクジェット記録用紙包装体の他の好ましい実施形態においては、上記第１閉塞部と第２閉塞部との間のシート材に、切断位置である旨の表示が施され、また、上記包袋を構成するシート材が、合成樹脂製のシート基材の一面にアルミニウムを蒸着することにより構成される。
【考案の効果】
【０００９】
以上に詳述したように、本考案に係るインクジェット記録用紙包装体によれば、当該インクジェット記録用紙包装体における包袋内の容部からインクジェット記録用紙を取り出すに際し、該包袋の開口部を封じるフラップの粘着材が該インクジェット記録用紙に接触することによって、該インクジェット記録用紙の特殊コーティングに剥離等の損傷を与えることなく、上記包袋内の容部に対する該インクジェット記録用紙の収容及び取出を行うことができ、しかも、当該包装体の開封後においても、上記包袋内の容部に収容されたインクジェット記録用紙を、印刷面吸湿や過乾燥、あるいは塵埃や紫外線焼け等から確実に保護することができる。
【考案を実施するための最良の形態】
【００１０】
以下に、本考案に係るインクジェット記録用紙包装体を実施するための最良の形態を図面に基いて詳細に説明する。
図１及び図２は、本考案に係るインクジェット記録用紙包装体の実施例を示している。
このインクジェット記録用紙包装体２は、概略的には、合成樹脂製の１枚のシート材６を折り返して、その周囲を熱溶着することにより袋状に形成した包袋８内の容部１０に、多数のインクジェット記録用紙４ａからなる束体４を収容して包装したものである。なお、上記包袋８は、１枚の上記シート材６の折り返しによるものに限定されず、２枚のシート材を重ね合わせて、その周囲を熱溶着することにより構成することもできる。
上記インクジェット記録用紙４ａは、インクジェットプリンタによる印刷時にインクの滲みや裏抜けが発生することによる印刷品位の低下を抑止するため、その片面又は両面の印刷面上に特殊コーティングが施されており、該インクジェット記録用紙４ａを印刷面吸湿や過乾燥、あるいは紫外線焼け等から保護するため、上記包袋８を構成するシート材６は、ポリプロピレン（ＰＰ）、ポリエチレン（ＰＥ）、あるいはポリエチレンテレフタレート（ＰＥＴ）等の合成樹脂製のシート基材の一面にアルミニウムを蒸着することにより、ガスバリア性及び遮光性に優れたものとして構成されている。
【００１１】
上記包袋８は、図２及び図３に示すように、その一辺側に形成した上記インクジェット記録用紙４ａの収容及び取出のための開口部１２に、粘着材１４ｂを付設したフラップ１４ａにより該開口部１２を封じる第１閉塞部１４を備えるとともに、該第１閉塞部１４に平行に且つ該第１閉塞部１４よりも当該包袋８の容部１０側に位置して、互いに嵌合する合成樹脂製の凸部１６ａ及び凹部１６ｂにより形成したファスナーからなる再封止可能な第２閉塞部１６を備えており、それらの第１閉塞部１４及び第２閉塞部１６により、開封前の当該インクジェット記録用紙包装体２における上記包袋８の開口部１２を２重に封止できるように構成している。
【００１２】
より具体的には、上記包袋８は、上記開口部１２側において、該包袋８を構成する上記シート材６における裏面側のシート材６ａを延設するとともに、その延設部分を上記第２閉塞部１６に達しない範囲で表面側のシート材６ｂ上に折り返して上記第１閉塞部１４を構成するフラップ１４ａを形成し、該フラップ１４ａと上記表面側のシート材６ｂとが重畳する範囲に上記粘着材１４ｂを塗着することにより、上記開口部１２を封じるものとして構成されている。
【００１３】
また、上記シート材６における裏面側のシート材６ａの延設部分を表面側のシート材６ｂ上に折り返すにあたり、その折り返し部分における上記表面側のシート材６ｂに達しない部分の内側に、合成樹脂製の厚板からなる補強板１８を包持させ、該補強板１８の第１閉塞部１４側において表裏のシート材６ａ，６ｂを熱溶着することにより、他の部位よりも厚肉化された補強部２０が形成されており、上記第１閉塞部１４を構成するフラップ１４ａは、該補強部２０から上記第２閉塞部１６側に延びる上記シート材６ａにより形成されている。
そして、上記補強部２０には、当該包装体２をディスプレイ用のハンガー等に吊下げて展示、陳列するための吊下用孔２０ａが設けられている。
【００１４】
上記第１閉塞部１４は、当該インクジェット記録用紙包装体２が販売のために展示、陳列されている状態において、上記第２閉塞部１６が開放することによる上記包袋８内の容部１０に収容されているインクジェット記録用紙４ａの印刷面吸湿や過乾燥、あるいは該包袋８内への塵埃の浸入等を防止するためのものであり、当該包装体２を開封するに際しては、上記第１閉塞部１４を構成するフラップ１４ａに塗着されている粘着材１４ｂを解離することなく、該第１閉塞部１４と上記第２閉塞部１６との間のシート材６において、当該包装体２を切断することにより行われる。そのため、上記第１閉塞部１４と第２閉塞部１６との間のシート材６には、切断位置である旨の表示２２が施されている（図１参照）。なお、該表示２２は、上記第１閉塞部１４のフラップ１４ａが上記表面側のシート材６ｂと重畳しない範囲に設けるのが望ましい。
而して、当該包装体２の開封後においては、上記第２閉塞部１６のファスナーを構成する凸部１６ａ及び凹部１６ｂの相互の嵌合により、上記包袋８の開口部１２を確実に封止して、上記容部１０に収容されているインクジェット記録用紙４ａの印刷面吸湿や過乾燥、あるいは該包袋８内への塵埃の浸入等を防止することができるように構成している。
【００１５】
ここで、上記切断位置の表示２２における当該包装体２の切断開封後においては、上記第１閉塞部１４のフラップ１４ａの一部が、上記表面側のシート材６ｂ上に粘着材１４ｂによって粘着された状態で残されることになるが、当該包装体２における包袋８内の容部１０からインクジェット記録用紙４ａを取り出すにあたって、該インクジェット記録用紙４ａに上記粘着材１４ｂが接触することはなく、したがって、特に上記フラップ１４ａの一部及び粘着材１４ｂを除去する必要はないが、必要に応じて適宜除去してもよい。
【００１６】
上記包袋８における上記開口部１２の対向辺側には、図１及び図２に示すように、該包袋８の相対する表裏面のシート材６ａ，６ｂをそれぞれ上記容部１０内側に折り込むことにより折込部２４が形成され、その折込部２４の両側を該折込部２４と重なる上記シート材６ａ，６ｂの両側とともに熱溶着することにより、上記インクジェット記録用紙４ａの束体４を上記包袋８内の容部１０に収容したときに、該包袋８をその厚さ方向に拡げるマチ部２６が形成されており、該マチ部２６により、該包袋８内に多数のインクジェット記録用紙４ａからなる束体４を封入することができるようにしている。
【００１７】
なお、上記インクジェット記録用紙４ａの束体４は、必要に応じてその収容及び取出方向の端部、並びにその表裏面側を覆う厚紙からなる台紙で囲繞した状態で上記包袋８内に封入することができ、該台紙とともに該包袋８内の容部１０に対して上記インクジェット記録用紙４ａの束体４の収容及び取出を行うことにより、該用紙４ａの印刷面の特殊コーティングに直接触れることなく、上記容部１０に対するインクジェット記録用紙４ａの収容及び取出を容易に行うことができ、それにより、該用紙４ａの印刷面に手指の脂や汗が付着することによる該用紙４ａの品質低下を防止することができる。
【００１８】
上記構成を有するインクジェット記録用紙包装体２においては、当該包装体２が販売のために展示、陳列されている状態においては、上記第１閉塞部１４及び第２閉塞部１６により上記包袋８の開口部１２を２重に封止することができるので、上記包袋８内の容部１０に収容されているインクジェット記録用紙４ａの印刷面吸湿や過乾燥、あるいは該包袋８内への塵埃の浸入等を確実に防止することができ、一方、当該包装体２の開封後においては、上記第２閉塞部１６のファスナーを構成する凸部１６ａ及び凹部１６ｂの相互の嵌合により、上記包袋８の開口部１２を確実に封止し、上記容部１０に収容されているインクジェット記録用紙４ａの印刷面吸湿や過乾燥、あるいは該包袋８内への塵埃の浸入等を防止することができる。
しかも、上記包袋８を構成するシート材６が、合成樹脂製のシート基材の一面にアルミニウムを蒸着することにより、遮光性に優れたものとして構成されているので、該包袋８内の容部に収容されているインクジェット記録用紙４ａが紫外線焼けすることによる該用紙４ａの品質低下を確実に抑止することができる。
【００１９】
そのうえ、当該包装体２を上記切断位置の表示２２において切断開封した後においては、当該包装体２における包袋８内の容部１０からインクジェット記録用紙４ａを取り出すにあたって、該インクジェット記録用紙４ａに上記粘着材１４ｂが接触することがないため、該インクジェット記録用紙４ａの特殊コーティングに剥離等の損傷を与えることなく、上記包袋８内の容部１０に対する該インクジェット記録用紙４ａの収容及び取出を行うことができる。
【００２０】
なお、上述した実施例においては、上記第１閉塞部１４のフラップ１４ａを、上記包袋８の開口部１２側において、該包袋８の裏面側のシート材６ａを延設して、その延設部分を上記第２閉塞部１６に達しない範囲で表面側のシート材６ｂ上に折り返すことにより構成したが、そのように構成する場合に限定されず、上記包袋８の開口部１２側における上記第２閉塞部１６よりも上記表裏のシート材６ａ，６ｂの端部側において、それらのシート材６ａ，６ｂが重畳する範囲の該表面側のシート材６ｂをフラップ１４ａとして、該フラップ１４ａにおける上記裏面側のシート材６ａに対峙する面に上記粘着材１４ｂを塗着することにより、上記第１閉塞部１４を構成することができる。この場合、上記切断位置の表示２２は、上記粘着材１４ｂよりも第２閉塞部１６側に設けるのはいうまでもない。
【図面の簡単な説明】
【００２１】
【図１】本考案の実施例に係るインクジェット記録用紙包装体の外観斜視図である。
【図２】同側断面図である。
【図３】同インクジェット記録用紙包装体の開口部側の要部拡大側断面図である。
【符号の説明】
【００２２】
２    インクジェット記録用紙包装体
４ａ  インクジェット記録用紙
６    シート材
６ａ  シート材（裏面側）
６ｂ  シート材（表面側）
８    包袋
１０    容部
１２    開口部
１４    第１閉塞部
１４ａ  フラップ
１４ｂ  粘着材
１６    第２閉塞部
１６ａ  凸部
１６ｂ  凹部
１８    補強板
２０    補強部
２０ａ  吊下用孔
２２    表示
２４    折込部
２６    マチ部
【図１】
0003134352.tif 000003
【図２】
0003134352.tif 000004
【図３】
0003134352.tif 000005